(57)【特許請求の範囲】
【請求項１】
金属製のロッキングタイを取り付けるための工具であって、
工具本体と、
前記工具本体内に配置されているギアキャリヤと、
前記ギアキャリヤ内に載置されている張力調整機構と、
前記ギアキャリヤを係合している切断機構と、
を備えている前記工具において、
前記ロッキングタイを切断するために前記タイに張力が加えられると、前記ギアキャリヤが、前記工具本体内で直線的に移動することを特徴とする工具。
【請求項２】
前記工具が、前記工具本体内に配置されているトグル機構をさらに備えており、
前記トグル機構が、トグルの保持力を超えるまで、前記ギアキャリヤを所定の位置に保持することを特徴とする請求項１に記載の工具。
【請求項３】
前記トグルの保持力が、ばねで付勢されることを特徴とする請求項２に記載の工具。
【請求項４】
前記工具が、トグルリンク及びレバーアームを含んでいるトグル機構をさらに備えており、
前記トグルリンクが、前記レバーアームに係合していることを特徴とする請求項１に記載の工具。
【請求項５】
前記レバーアームが、水平方向に延在している部分と、レバーアームピボットと、垂直方向に延在している部分とを含んでおり、
前記垂直方向に延在している部分が、前記トグルリンクを収容するための戻り止めを含んでいることを特徴とする請求項４に記載の工具。
【請求項６】
前記トグルリンクが、ねじりばねを含んでいることを特徴とする請求項４に記載の工具。
【請求項７】
前記切断機構が、ローラ及びカッターを備えている切断レバーを含んでおり、これにより、前記ローラが、前記カッターを動作させるために前記ギアキャリヤに係合することを特徴とする請求項１に記載の工具。
【請求項８】
前記張力調整機構が、マンドレルを回転させるためにウォームギアを動作させるウォームを含んでいることを特徴とする請求項１に記載の工具。
【請求項９】
前記工具本体が、スイベルコネクタによって電源筐体に取り付けられることを特徴とする請求項１に記載の工具。
【発明の詳細な説明】
【技術分野】
【０００１】
本発明は、ステンレススチール金属製のロッキングタイのための電動工具に関し、より具体的には、ロッキングタイに張力を加え、かつ、ロッキングタイを切断するための、電源を有するステンレススチール金属製のロッキングタイのための電動工具に関する。
【背景技術】
【０００２】
当業者には公知であるように、電線及びケーブル等の一まとまりの物品を束ねる又は固定するために、ケーブルタイ又はストラップが使用される。従来の構造のケーブルタイは、ケーブルタイ頭部及びそこから延伸する細長い尾部を含む。尾部は、一束の物品の周囲に巻き付けられ、その後、頭部内の通路を通って挿入される。ケーブルタイの頭部は、典型的にロッキング要素を支持し、これは、頭部通路内へと延伸し、尾部を頭部に固定するために、尾部の本体と係合する。
【０００３】
実際に、取り付け者は、手動で、束ねる物品の周囲にタイを配置し、頭部通路を通して、尾部を挿入する。この点において、所定の張力になるまでタイに張力を加えるために、ケーブルタイ取り付け工具が使用される。先行技術の工具は、張力を加えることができ、その後、ケーブルタイの余剰部分を分断することができるが、典型的には、それについてのいくつかの不利な点を有する。そのため、ロッキングタイに張力を加え、かつ、切断するための、単一の電源を有する改善された金属製の連結用工具を提供することが望ましい。
【発明の概要】
【課題を解決するための手段】
【０００４】
本発明は、金属製のロッキングタイを取り付けるための電動工具に関する。工具は、本体及び電源筐体を含む。ギアキャリヤは本体内に配置され、張力調整機構はギアキャリヤ内に載置される。さらに、工具本体内に切断機構も配置され、ギアキャリヤを係合するように配置される。タイに張力が加えられると、ギアキャリヤは、張力が加えられたタイを切断するように、工具本体内において直線的に移動する。
【図面の簡単な説明】
【０００５】
【図１】本発明のステンレススチール金属製のロッキングタイのための電動工具の前面左側斜視図である。
【図２】工具が回転位置にある、図１のステンレススチール金属製のロッキングタイのための電動工具の前面左側斜視図である。
【図３】工具の一部が取り除かれた、図１の電動工具の右側面斜視図である。
【図４】図３の電動工具の右側面図である。
【図５】図３の電動工具内のギアキャリヤの前面斜視図である。
【図６】図３の電動工具内のギアキャリヤに載置されたウォームの右側面斜視図である。
【図７】図４のトグル機構の側面斜視図である。
【図８】図１の工具本体の部分右側面斜視図である。
【図９ａ】図３のギアキャリヤ及びトグル機構の上面図である。
【図９ｂ】図９ａのギアキャリヤ及びトグル機構の側面図である。
【図１０】マンドレルがステンレススチールタイの巻き付けを開始する、図９ａのギアキャリヤ及びトグル機構の側面図である。
【図１１】トグル機構の戻り止めの設定が越えられた状態の、図９ａのギアキャリヤ及びトグル機構の側面図である。
【図１２】ステンレススチール金属製のロッキングタイを切断するために、タイに張力が加えられ、ギアキャリヤが前方に移動した、図９ａのギアキャリヤ及びトグル機構の側面図である。
【図１３】タイが切断された後、図９ａのギアキャリヤ及びトグル機構が開始位置に戻った、側面図である。
【発明を実施するための形態】
【０００６】
図１は、本発明のステンレススチール金属製のロッキングタイ２２０のための可搬式電動工具２０を示す。以下に記載するように、電動工具２０は、同じ電源によって動作する調整可能な張力設定及び自動遮断機構を含む。工具２０は、工具本体３０の前に先端部３２を有する工具本体３０、及びバッテリ及びハンドル３６を収容するための電源筐体３４を有する。スイベルコネクタ３８によって、工具本体３０が電源筐体３４に取り付けられる。スイベルコネクタ３８によって、工具本体３０及び電源筐体３４は、使用のしやすさのために、互いに回転することが可能になる。そのため、操作者は、ステンレススチールロッキングタイを取り付けるために、異なる角度に工具を配置するように、工具本体３０を回転させてもよい。
【０００７】
工具本体３０は、さらに、ウォーム５２、ウォームギア５４、ウォームギアシャフト５６及びステンレススチールロッキングタイ２２０に張力を加えるためのマンドレル５８を含む（図９ａ〜図１３を参照）。工具先端部３２は、ステンレススチールロッキングタイ２２０を切断するための切断機構２００を含む（図９ｂ〜図１３を参照）。
【０００８】
図３〜図６に示すように、工具２０は、工具２０の先端部３２に対し、キャリヤガイド５１に沿って、工具本体３０内において直線的に移動させるギアキャリヤ５０を含む。ウォーム５２は、ウォームシャフト５３上に載置される（図６を参照）。ウォームシャフト５３は、工具本体３０内に載置され、電源筐体３４内の出力シャフトに適合する、六角形のドライバ内で終端する（図示せず）。ウォームギア５４、ウォームギアシャフト５６及びマンドレル５８は、ギアキャリヤ５０内に載置され、ウォーム５２がウォームギア５４と係合するように、配置される。図９ａに示すように、マンドレル５８は、ウォームギアシャフト５６の一部である。図１〜３に示すように、ウォームギア５４及びウォームギアシャフト５６を有するギアキャリヤ５０は、工具本体３０内に収容され、一方で、マンドレル５８は、工具本体３０から延伸する。
【０００９】
ギアキャリヤ５０は、工具の前面に向かって直線的に移動することができるが、ばね付勢トグル機構１００によって、工具本体３０内の所定の位置に保持される（図７を参照）。トグル機構１００は、ねじりばね１１４（図３及び４を参照）を有するトグルリンク１０２及びレバーアームピボット１２６を有するレバーアーム１２０を含む。レバーアームピボット１２６は、静止プレート１４０に固定される。レバーアーム１２０は、ほぼ水平方向に延伸する部分１２２及びほぼ垂直方向に延伸する部分１２８を有し、ほぼＬ字形である。レバーアームピボット１２６は、水平方向に延伸する部分１２２及び垂直方向に延伸する部分１２８の交差部分に配置される。垂直方向に延伸する部分１２８は、戻り止めポケット１３０を含む。
【００１０】
図３〜図５に示すように、トグルリンク１０２は、ウォームギア５４、ウォームギアシャフト５６及びマンドレル５８に対向するギアキャリヤ５０の端部に配置される。トグルリンク１０２は、第１の端部１０４及び第２の端部１０６を含む。トグルリンク１０２の第１の端部１０４は、ギアキャリヤ５０に載置されるロッド１０８を中心に枢動する。ねじりばね１１４は、ロッド１０８上に配置される。トグルリンク１０２の第２の端部１０６は、ピン１１２上を自由に回転する２つのローラ１１０を有する。ローラ１１０は両方とも、ほぼ垂直方向に配向され、かつ、工具本体３０に取り付けられる静止プレート１４０上に置かれる。ピン１１２の一部は、レバーアーム１２０の垂直方向に延伸する部分１２８内の戻り止めポケット１３０内に置かれる。
【００１１】
ギアキャリヤ５０及びトグルリンク１０２が開始位置にある場合、ねじりばね１１４は、戻り止めポケット１３０内のピン１１２に力の減少を提供する静止プレート１４０に対し、両方のローラ１１０を押す。トグルリンク１０２は、ギアキャリヤ５０の直線的な移動に対して、６度未満の最小回転角度に制限される。ステンレススチールロッキングタイ２２０によってかかる力線によって、トグルリンク１０２の角度を６度未満、又はほぼ真っ直ぐ（ｉｎ−ｌｉｎｅ）に制限することにより、力は減少し、その力のほんのわずかな一部のみが、戻り止めポケット１３０内のピン１１２の抵抗を受ける。
【００１２】
図８に示すように、工具本体３０は、さらに、張力設定を調整するために、ばね付勢プレート１５０及びアクチュエータピン１５４をも収容する。アクチュエータピン１５４は、工具本体３０内のスロットにおいて直線的に案内され、戻り止め力を調整するように、手動で移動させることができる。ばね付勢プレート１５０は、トグルリンク１０２によりレバーアーム１２０上にかかる回転力と拮抗するように、プレート１５０に力を加えるばね１５２を含む。荷重プレート１５０に沿って直線的にアクチュエータピン１５４（図４）を移動させ、これによって、レバーアームピボット１２６と荷重プレート力が印加される点との間のモーメントアームを変化させることにより、張力設定を調整可能である。レバーアームの水平方向に延伸する部分は、さらに、ポケット１２４を含んでもよい（図７を参照）。ポケット１２４は、レバーアーム１２０からばね付勢を取り除くことが望ましい場合に、アクチュエータピンを収容する。
【００１３】
図９〜図１３は、本発明の電動工具の動作を示す。図９ａ及び図９ｂは、工具２０がステンレススチールタイ２２０に張力を加えることを開始する前の、開始位置におけるギアキャリヤ５０及びトグル機構１００を示す。工具が作動すると、ウォーム５２は、ウォームギア５４と係合し、それにより、ウォームギア５４、ウォームギアシャフト５６及びマンドレル５８を回転させる。図９ｂに示すように、ステンレススチールタイ２２０が挿入され、マンドレル５８に巻き付けられている。ギアキャリヤ５０は、トグル機構１００によって所定の位置に保持される。図１０〜図１３に示すように、タイ２２０が、マンドレル５８の周囲において張力を加えられ、トグル機構１００が戻り止めする（ｄｅｔｅｎｔｓ）と、ギアキャリヤ５０は、工具の前面に向かって直線的に移動する。
【００１４】
上述のように、ねじりばね１１４は、概して垂直方向に配向された静止プレート１４０に対し、トグルリンクローラ１１０を押す。静止プレート１４０の配向により、トグル機構の戻り止めにおける力の減少が提供される。トグルリンク１０２のピン１１２は、レバーアーム１２０の垂直部分１２８の戻り止めポケット１３０内に配置される。
【００１５】
図９ｂ及び１０に示すように、ギアキャリヤ５０は、工具２０の先端部３２から距離Ａに配置される開始位置に配置される。ウォーム５２は、ウォームギアシャフト５６及びマンドレル５８を回転させるウォームギア５４を駆動する。マンドレル５８が回転すると、タイ２２０に張力を加えるように、ステンレススチールタイ２２０を巻き付ける。マンドレル５８がタイ２２０に張力を加えると、ギアキャリヤ５０に直線的な力がかかる。
【００１６】
図１１は、タイ２２０に張力を加えることを継続しているマンドレル５８を示す。ギアキャリヤ５０上にかかる直線的な力は、トグル機構１００上のばね付勢を上回り始める。レバーアーム１２０の垂直部分１２８内の戻り止めポケット１３０から、ピン１１２が戻り止めを外すと、トグルリンク１０２の端部のピン１１２により、レバーアーム１２０が傾けられる。そのため、ギアキャリヤ５０は、今度は工具２０の先端部３２から距離Ａ−Ｂの距離に配置される。ギアキャリヤ５０が工具先端部３２の前部に向かって前方に引かれると、切断機構２００が作動する。
【００１７】
切断機構２００は、工具２０の先端部３２内に配置される。図９ｂ〜図１３に示すように、切断機構２００は、カッター２０８、カッターレバー２０４及びローラ２０６を含む。カッター２０８及びローラ２０６は、カッターレバー２０４の対向端に配置される。ギアキャリヤ５０の前面は、ランプ２０２を含む。ランプ２０２は、カッターレバー２０４の対向端において、ローラ２０６を介してカッター２０８を作動するように設計される。ギアキャリヤ５０を前方に引くと、ローラ２０６は、カッター２０８によってタイ２２０を切断することを可能にするように、カッターレバー２０４を上げるランプ２０２に沿って移動する。
【００１８】
図１２は、ステンレススチールタイ２２０をさらに巻き付けるマンドレル５８、及びギアキャリヤ５０が工具２０の先端部３２から距離Ａ−Ｃに配置されるように、工具２０の前面に向かってより近くに引かれるギアキャリヤ５０を示す。ギアキャリヤ５０の前方への動きの間、ウォームギア５４は、ウォーム５０に沿って直線的に移動する。ウォームギア５４は、ステンレススチールタイ２２０が完全に切断されるまで、ウォーム５０に沿って移動を継続する。
【００１９】
タイ２２０が切断された後、ギアキャリヤ５０を前方に引く張力が除かれる。そのため、ねじりばね１１４は、トグルリンク１０２を再びほぼ水平方向の位置に回転させる戻すことができるようになり、こうして、静止プレート１４０に向かって直線的な力がかかり、ギアキャリヤ５０を開始位置に戻す。トグルリンク１０２が再び開始位置に回転すると、ピン１１２の端部は、再び戻り止めポケット１３０に戻って入る。ギアキャリヤ５０が開始位置に戻ると、ウォームギア５４は、ウォーム５２に沿って移動して戻る。
【００２０】
図１３は、ギアキャリヤ５０が工具２０の先端部３２から離れた距離Ａに配置される、開始位置に戻ったギアキャリヤ５０を示す。
【００２１】
さらに、本発明の特定の好適な実施形態が示され、記載されているが、当業者には、本発明の教示から逸脱せずに、変更及び修正を行ってもよいことが明らかであろう。上記の記載及び添付の図面に記載される事項は、例示のために提供されているにすぎず、制限するものではない。本発明の実際の範囲は、先行技術に基づいて適切な観点で検討される場合に、以下の特許請求の範囲において定義されるように意図されている。
【図１】
0005436572.tif 000002
【図２】
0005436572.tif 000003
【図３】
0005436572.tif 000004
【図４】
0005436572.tif 000005
【図５】
0005436572.tif 000006
【図６】
0005436572.tif 000007
【図７】
0005436572.tif 000008
【図８】
0005436572.tif 000009
【図９ａ】
0005436572.tif 000010
【図９ｂ】
0005436572.tif 000011
【図１０】
0005436572.tif 000012
【図１１】
0005436572.tif 000013
【図１２】
0005436572.tif 000014
【図１３】
0005436572.tif 000015